(57)【特許請求の範囲】
【請求項１】
島側に固定されたホルダに遊技媒体供給ユニットを取り付けるための遊技媒体供給ユニットの取り付け構造において、
前記遊技媒体供給ユニットと前記ホルダの一方に複数個の装着可能な凸状部を設け、
他方に前記凸状部と対応する位置に蓋が装着可能な逃がし部を設け、
前記ホルダと、同一機能の遊技媒体供給ユニットとの間で、前記凸状部の装着と、前記蓋の装着を、前記凸状部と前記逃がし部が干渉しないように選択し、前記ホルダに、前記凸状部と前記逃がし部との位置が一致する前記同一機能の遊技媒体供給ユニットのみを装着可能に構成したことを特徴とする遊技媒体供給ユニットの取り付け構造。
【請求項２】
前記凸状部はネジ穴に螺合したネジであり、前記逃がし部は前記ネジが貫通する逃がし穴であることを特徴とする請求項１記載の遊技媒体供給ユニットの取り付け構造。
【請求項３】
前記凸状部は前記ホルダ側に、前記逃がし部は前記遊技媒体供給ユニット側にそれぞれ設けられていることを特徴とする請求項１記載の遊技媒体供給ユニットの取り付け構造。
【請求項４】
前記凸状部は、前記ホルダの上側部および下側部のそれぞれに設けられていることを特徴とする請求項１記載の遊技媒体供給ユニットの取り付け構造。
【発明の詳細な説明】
【０００１】
【産業上の利用分野】
本発明は遊技装置間に設置される遊技媒体供給ユニットの取り付け構造に関し、特に島側のホルダに着脱可能な遊技媒体供給ユニットの取り付け構造に関する。
【０００２】
【従来の技術】
現在、パチンコ台等の遊技装置が設置された島には、パチンコ玉等の遊技媒体を供給するための遊技媒体供給ユニットが、ホルダに装着されて遊技装置間に１台ずつ設けられている。
【０００３】
【発明が解決しようとする課題】
このような従来の遊技媒体供給ユニットでは、機能の異なる遊技媒体供給ユニットであっても、同じ本体ケースとホルダとを使用したりしていることから、間違って別機能の遊技媒体供給ユニットを設置しても、外観上判別できないため、同ユニット設置後、パチンコ台等の遊技装置との接続の際に間違った上記ユニットを設置したことに気がつくことが多々あった。
【０００４】
本発明はこのような点に鑑みてなされたものであり、遊技媒体供給ユニットを対応するホルダに確実に装着することができる遊技媒体供給ユニットの取り付け構造を提供することを目的とする。
【０００５】
【課題を解決するための手段】
本発明では上記課題を解決するために、島側に固定されたホルダに遊技媒体供給ユニットを取り付けるための遊技媒体供給ユニットの取り付け構造において、前記遊技媒体供給ユニットと前記ホルダの一方に複数個の装着可能な凸状部を設け、他方に前記凸状部と対応する位置に蓋が装着可能な逃がし部を設け、前記ホルダと、同一機能の遊技媒体供給ユニットとの間で、前記凸状部の装着と、前記蓋の装着を、前記凸状部と前記逃がし部が干渉しないように選択し、前記ホルダに、前記凸状部と前記逃がし部との位置が一致する前記同一機能の遊技媒体供給ユニットのみを装着可能に構成したことを特徴とする遊技媒体供給ユニットの取り付け構造が提供される。
【０００６】
【作用】
遊技媒体供給ユニットとホルダの一方に複数個の装着可能な凸状部を設け、他方に凸状部と対応する位置に蓋が装着可能な逃がし部を設ける。島側に装着可能な遊技媒体供給ユニットでは、ホルダと遊技媒体供給ユニットとの間で、凸状部と逃がし部とが干渉しないように対応関係を決めておくことにより、装着不能な遊技媒体供給ユニットを誤って装着することを防止する。
【０００７】
【実施例】
以下、本発明の一実施例を図面に基づいて説明する。
図２はパチンコ台ユニットの外観を示す正面図である。本実施例のパチンコ台ユニットは、遊技媒体供給ユニットとしてのカードリーダユニット１０、および遊技装置としてのパチンコ台２０によって構成されている。カードリーダユニット１０およびパチンコ台２０は、一対で島に設けられており、カードリーダユニット１０の操作によってパチンコ台２０側に貸し玉が供給される。
【０００８】
カードリーダユニット１０の正面には、カード利用可能ランプユニット１１、操作パネル１２、カード挿入口１３、鍵挿入部１４が上から順に設けられている。このカードリーダユニット１０は、後述する操作により、島側から抜き差しできるようになっている。カード利用可能ランプユニット１１は、プリペイドカードが使用可能なときにそのランプ１１ａが点灯する。操作パネル１２は、プリペイドカードからの引出し金額を設定するためのパネルである。カード挿入口１３には、遊技者個人のプリペイドカードが挿入される。鍵挿入部１４には、図示されていない鍵が挿入され、カードリーダユニット１０の着脱が行われる。
【０００９】
パチンコ台２０の遊技面２１の下部には、玉受け皿２３が設けられている。この玉受け皿２３には、パチンコ台２０の裏面に設けられた貸し玉供給装置からの貸し玉が玉供給口２２を介して供給される。玉受け皿２３の下には予備皿２４が設けられており、その横にはハンドル２５が設けられている。
【００１０】
また、玉受け皿２３には、供給指令ボタン２６が設けられている。この供給指令ボタン２６を押すことにより、操作パネル１２で設定された引出し金額に応じた数の貸し玉が玉受け皿２３に供給される。
【００１１】
さらに、玉受け皿２３の上部には、表示部２７、玉貸し可能ランプ２８、および返却ボタン２９が設けられている。表示部２７は、ＬＥＤまたは液晶で構成されており、カードリーダユニット１０の操作パネル１２で設定された引出し金額や、カード挿入口１３に挿入されたプリペイドカード内の端数金額等が切り換え表示される。玉貸し可能ランプ２８はＬＥＤで構成されており、プリペイドカードの残高が設定された引出し金額以上ある場合等に点灯する。返却ボタン２９は、遊技終了時等にプリペイドカードを返却するときに押すボタンである。
【００１２】
図３は取り付け状態にあるカードリーダユニット１０の外観を示す側面図である。カードリーダユニット１０は、島側に固定されたホルダ３０に装着されている。ホルダ３０の背面部には、施解錠機構部４０が設けられている。施解錠機構部４０には、図示されていない錠部材が設けられており、カードリーダユニット１０をホルダ３０に対して施錠状態または解錠状態にする。この施解錠機構部４０の施解錠操作は、鍵挿入部１４に鍵を挿入して回動操作することにより行える。
【００１３】
図４はホルダ３０の構成を示す斜視図である。ホルダ３０は、支柱となる本体部３１と、上下のガイド部３２、３３から構成されている。また、下端のガイド部３３のやや上には、ガイド部３２との間でカードリーダユニット１０を保持するガイド部３６が設けられている。本体部３１の上端付近と、ガイド部３６のやや上部には、それぞれ嵌合用穴部３４、３５が設けられている。嵌合用穴部３４には、逃がし穴３４ａ、３４ｂ、３４ｃが所定間隔を開けて縦方向に１列に形成されている。また、逃がし穴３４ａと３４ｂとの間にはネジ穴３４ｄが、逃がし穴３４ｂと３４ｃとの間にはネジ穴３４ｅがそれぞれ形成されている。一方、嵌合用穴部３５には、逃がし穴３５ａ、３５ｂ、３５ｃが所定間隔を開けて縦方向に１列に形成されている。また、逃がし穴３５ａと３５ｂとの間にはネジ穴３５ｄが、逃がし穴３５ｂと３５ｃとの間にはネジ穴３５ｅがそれぞれ形成されている。
【００１４】
図５はカードリーダユニット１０の本体ケースの構成を示す斜視図である。本体ケース１００の正面側には、カード利用可能ランプユニット１１の取り付け用の開口部１０１、操作パネル１２の取り付け用の開口部１０２、カード挿入口１３の取り付け用の開口部１０３、鍵挿入部１４の取り付け用の開口部１０４等が形成されている。
【００１５】
本体ケース１００の背面部側の上下端付近には、それぞれ嵌合用穴部４１、４２が設けられている。嵌合用穴部４１には、ネジ穴４１ａ、４１ｂ、４１ｃが所定間隔を開けて縦方向に１列に形成されている。また、ネジ穴４１ａと４１ｂとの間には逃がし穴４１ｄが、ネジ穴４１ｂと４１ｃとの間には逃がし穴４１ｅがそれぞれ形成されている。このような構成の嵌合用穴部４１では、カードリーダユニット１０をホルダ３０に装着したときには、ネジ穴４１ａ、４１ｂ、４１ｃがホルダ３０の逃がし穴３４ａ、３４ｂ、３４ｃとそれぞれ重なり、逃がし穴４１ｄ、４１ｅがホルダ３０のネジ穴３４ｄ、３４ｅとそれぞれ重なるような位置に形成されている。
【００１６】
一方、嵌合用穴部４２には、ネジ穴４２ａ、４２ｂ、４２ｃが所定間隔を開けて縦方向に１列に形成されている。また、ネジ穴４２ａと４２ｂとの間には逃がし穴４２ｄが、ネジ穴４２ｂと４２ｃとの間には逃がし穴４２ｅがそれぞれ形成されている。このような構成の嵌合用穴部４２では、カードリーダユニット１０をホルダ３０に装着したときには、ネジ穴４２ａ、４２ｂ、４２ｃがホルダ３０の逃がし穴３５ａ、３５ｂ、３５ｃとそれぞれ重なり、逃がし穴４２ｄ、４２ｅがホルダ３０のネジ穴３５ｄ、３５ｅとそれぞれ重なるような位置に形成されている。
【００１７】
図１は各嵌合用穴部３４、３５、４１、４２の使用状態の一例を示す図である。なお、ここでは、嵌合用穴部３４、３５、４１、４２と関係のない部材や装置などの図示は省略してある。まず、ホルダ３０側では、例えば上部の嵌合用穴部３４のネジ穴３４ｄに本体ケース１００側に向かって、凸状部材としての長ネジ５１が螺合により装着される。この場合、一方のネジ穴３４ｅはフリーにしておく。また、下部の嵌合用穴部３５のネジ穴３５ｄに本体ケース１００側に向かって、凸状部材としての長ネジ６１が螺合により装着される。この場合、一方のネジ穴３５ｅはフリーにしておく。
【００１８】
一方、本体ケース１００側では、まず、上部の嵌合用穴部４１のネジ穴４１ｂおよび４１ｃには、それぞれネジ５２および５３によって蓋部材５４の端部が締結される。この蓋部材５４は、ほぼ平板上の部材の中心部に凸部５４ａを有している。凸部５４ａは、逃がし穴４１ｅと嵌合して逃がし穴４１ｅ全体を塞ぐように形成されている。
【００１９】
また、下部の嵌合用穴部４２のネジ穴４２ｂおよび４２ｃには、それぞれネジ６２および６３によって蓋部材６４の端部が締結される。この蓋部材６４は、蓋部材５４と同様に、ほぼ平板上の部材の中心部に凸部６４ａを有している。凸部６４ａは、逃がし穴４２ｅと嵌合して逃がし穴４２ｅ全体を塞ぐように形成されている。
【００２０】
このような構成の取り付け構造では、ホルダ３０のガイド部３２および３６に沿ってカードリーダユニット１０を挿入すると、ホルダ３０側の長ネジ５１および６１の先端部５１ａ、６１ａが、それぞれ本体ケース１００の逃がし穴４１ｄ、４２ｄに挿入される。これらは互いに干渉することがないため、カードリーダユニット１０はホルダ３０に確実に装着される。なお、ネジ５２、５３、６２、６３の各頭部は、それぞれ逃がし穴３４ｂ、３４ｃ、３５ｂ、３５ｃに挿入されるので、ホルダ３０とは干渉しない。
【００２１】
このように、対応するホルダ３０とカードリーダユニット１０どうしでは、長ネジ５１、６１、蓋部材５４、６４の取り付け位置を図１のように調節することにより、確実にカードリーダユニット１０を装着することができる。一方、ホルダ３０とは別のホルダに適合するカードリーダユニットでは、長ネジ５１、６１、蓋部材５４、６４の位置が対応しないため、装着することができない。例えば、長ネジ５１がネジ穴３４ｅに取り付けられたホルダに対して、図１で示したカードリーダユニット１０を装着しようとすると、長ネジ５１が蓋部材５４の凸部５４ａに当たってしまい、それ以上はカードリーダユニット１０の挿入ができなくなる。これにより、カードリーダユニット１０のホルダ３０への間違った装着を防止することができる。
【００２２】
また、本実施例では、ホルダ３０の上側部および下側部にそれぞれ嵌合用穴部３４、３５を設け、各嵌合用穴部３４、３５に対応するようにカードリーダユニット１０側にも嵌合用穴部４１、４２を設けたので、対応する嵌合用穴部が完全に一致したカードリーダユニット１０だけがホルダ３０に対して挿入可能となる。したがって、カードリーダユニット１０の誤挿入を確実に防止することができる。
【００２３】
また、このような構成により、カードリーダユニット１０をホルダ３０に対して正しく挿入しないと、嵌合用穴部３４、３５の長ネジ５１、６１がカードリーダユニット１０の嵌合用穴部４１、４２と確実に嵌合しない。すなわち、カードリーダユニット１０の挿入の仕方が悪いと、ある程度以上の挿入が行えないようになっている。したがって、カードリーダユニット１０を斜めに装着した状態で動作させてしまう等のミスを防止することができる。
【００２４】
なお、本実施例では、長ネジ５１、６１をそれぞれネジ穴３４ｄ、３５ｄに、蓋部材５４、６４の凸部５４ａ、６４ａをそれぞれ逃がし穴４１ｅ、４２ｅに装着するようにしたが、他の組み合わせも当然考えられる。すなわち、長ネジ５１、６１をそれぞれネジ穴３４ｅ、３５ｅに、蓋部材５４、６４の凸部５４ａ、６４ａをそれぞれ逃がし穴４１ｄ、４２ｄに装着するタイプ、長ネジ５１、６１をそれぞれネジ穴３４ｅ、３５ｄに、蓋部材５４、６４の凸部５４ａ、６４ａをそれぞれ逃がし穴４１ｄ、４２ｅに装着するタイプ、長ネジ５１、６１をそれぞれネジ穴３４ｄ、３５ｅに、蓋部材５４、６４の凸部５４ａ、６４ａをそれぞれ逃がし穴４１ｅ、４２ｄに装着するタイプが考えられる。
【００２５】
さらには、長ネジ５１、６１をそれぞれネジ穴３４ｄ、３４ｅに、蓋部材５４、６４の凸部５４ａ、６４ａをそれぞれ逃がし穴４２ｄ、４２ｅに装着するタイプ、長ネジ５１、６１をそれぞれネジ穴３５ｄ、３５ｅに、蓋部材５４、６４の凸部５４ａ、６４ａをそれぞれ逃がし穴４１ｄ、４１ｅに装着するタイプも考えられる。
【００２６】
また、本実施例では、ホルダ３０に４個のネジ穴３４ｄ、３４ｅ、３５ｄ、３５ｅに対応してカードリーダユニット１０の本体ケース１００側に４個の逃がし穴４１ｄ、４１ｅ、４２ｄ、４２ｅを形成する例を示したが、この他にも２個、３個、あるいは５個以上とすることができる。これにより、遊技場の規模に応じた数のパターンを組むことができる。また、同じ個数でも、その位置を変えることにより様々なパターンができる。
【００２７】
さらに、本実施例では、ホルダ３０側に取り付ける凸状部材として長ネジ５１、６１を示したが、凸状部材であれば他のものでもよい。図６は凸状部材の他の例を示す図である。この凸状部材７０は、円柱形の頭部７１と、ネジ部７２とから概ね構成されている。頭部７１は、図１の長ネジ５１等と同じ位の長さになるように形成されている。頭部７１のネジ部７２と反対側の面７１ａには十字溝が形成されており、ドライバによって頭部７１を回せるようになっている。このような凸状部材７０は、例えばホルダ３０のネジ穴３４ｄにそのネジ部７２を締めることにより、図１で示した長ネジ５１、６１と同じ機能を持たせることができる。また、凸状部材７０の場合は、表側から取り付けることができるので、ホルダ３０を島側から取り外すことなく取り付けることができる。したがって作業が容易となる。
【００２８】
図７は凸状部材のさらに他の例を示す図である。凸状部材８０は、多角形としての６角形の頭部８１と、ネジ部８２とから概ね構成されている。頭部８１は、図６の円柱形の頭部７１と同様に図１の長ネジ５１等と同じ位の長さになるように形成されており、６角ネジ用ドライバによって頭部８１を回せるようになっている。このような凸状部材８０によれば、例えばホルダ３０のネジ穴３４ｄにそのネジ部８２を締めることにより、図１で示した長ネジ５１、６１と同じ機能を持たせることができる。また、凸状部材８０の場合は、図６の凸状部材７０の如く、表側から取り付けることができるので、ホルダ３０を島側から取り外すことなく取り付けることができる。したがって作業が容易となる。なお、頭部８１は、６角形に限らず、４角形、５角形等他の多角形であってもよい。
【００２９】
また、凸状部材としては、図６および図７の例の他に、筒体を使用し、その筒体の中心に長ネジを通してネジ穴３４ｄ等に取り付けるようにしてもよい。あるいは、ホルダ３０および本体ケース１００の一方に凹部を、その凹部と嵌合する凸部を他方にそれぞれプレス成形するようにしてもよい。
【００３０】
また、本実施例では、凸状部材として長ネジ５１等を本体ケース１００側に向けてホルダ３０に取り付けるようにしたが、これを本体ケース１００側に取り付け、対応する逃がし穴４１ｄ等をホルダ３０側に形成するようにしてもよい。
【００３１】
さらに、本実施例では、遊技媒体供給ユニットとしてカードリーダユニット１０の例を示したが、この他にも、通常の玉貸機やスロットマシンのメダル貸し機等にも適用できる。
【００３２】
【発明の効果】
以上説明したように本発明では、遊技媒体供給ユニットとホルダの一方に複数個の装着可能な凸状部を設け、他方に凸状部と対応する位置に蓋が装着可能な逃がし部を設け、島側に装着可能な遊技媒体供給ユニットでは、ホルダと遊技媒体供給ユニットとの間で、凸状部と逃がし部とが干渉しないように対応関係を決めておくことにより、装着不能な遊技媒体供給ユニットを誤って装着することを防止できる。
【図面の簡単な説明】
【図１】各嵌合用穴部の使用状態の一例を示す図である。
【図２】パチンコ台ユニットの外観を示す正面図である。
【図３】取り付け状態にあるカードリーダユニットの外観を示す側面図である。
【図４】ホルダの構成を示す斜視図である。
【図５】カードリーダユニットの本体ケースの構成を示す斜視図である。
【図６】凸状部材の他の例を示す図である。
【図７】凸状部材のさらに他の例を示す図である。
【符号の説明】
１０  カードリーダユニット
１１  カード利用可能ランプユニット
１２  操作パネル
１３  カード挿入口
１４  鍵挿入部
２０  パチンコ台
３０  ホルダ
３４、３５  嵌合用穴部
３４ａ、３４ｂ、３４ｃ、３５ａ、３５ｂ、３５ｃ  逃がし穴
３４ｄ、３４ｅ、３５ｄ、３５ｅ  ネジ穴
５１、６１  長ネジ
５４、６４  蓋部材
【図１】
0003574473.tif 000002
【図２】
0003574473.tif 000003
【図３】
0003574473.tif 000004
【図４】
0003574473.tif 000005
【図５】
0003574473.tif 000006
【図６】
0003574473.tif 000007
【図７】
0003574473.tif 000008